(57)【特許請求の範囲】
【請求項１】
着座するための座部と、前記座部の左側から下方に延びる左側脚部と、前記座部の右側から下方に延びる右側脚部と、前記左側脚部の下端部に設けられた左側接地台部と、前記右側脚部の下端部に設けられた右側接地台部と、前記座部の後端部から上方に延びる背もたれ部と、前記座部の両側上方に配設された肘掛け部と、を備え、
前記左側及び右側接地台部は、水平方向に延びる後部と、前記後部の前側に位置し前方に向けて上方に直線状に傾斜して延びる前部と、を有し、前記左側及び右側接地台部の前記前部の長さ（Ｌ）が３０〜７０ｃｍであり、通常使用状態においては、前記左側及び右側接地台部の前記後部が床面に接地し、立上り使用状態においては、前記左側及び右側接地台部の前記前部が床面に接地され、
床面に対する前記左側及び右側接地台部の前記前部の傾斜角度（α）が１０〜１８度であることを特徴とする椅子。
【請求項２】
通常使用状態においては、前記座部に通常の姿勢で着座した使用者の体重心が前記左側及び右側接地台部の前記後部側に位置して前記後部が床面に接地し、この状態から立上り姿勢になると、前記左側及び右側接地台部の前記前部と前記後部との接続部を支点として前方に傾動し、この傾動に伴って、前記座部に立上り姿勢で着座した使用者の体重心が前記左側及び右側接地台部の前記前部側に移動して前記前部が床面に接地することを特徴とする請求項１に記載の椅子。
【請求項３】
前記背もたれ部は、前記座部から上方に、前記座部に着座した使用者の腰よりも上方まで延びていることを特徴とする請求項１又は２に記載の椅子。
【請求項４】
前記座部に対する前記背もたれ部の傾斜角度（β）が９５〜１１０度であることを特徴とする請求項３に記載の椅子。
【請求項５】
前記肘掛け部の前端は、前記座部の前端を基準にして−１０ｃｍ〜１０ｃｍの範囲に位置していることを特徴とする請求項１〜４のいずれかに記載の椅子。
【請求項６】
着座するための座部と、前記座部の左側から下方に延びる左側脚部と、前記座部の右側から下方に延びる右側脚部と、前記左側脚部の下端部に設けられた左側接地台部と、前記右側脚部の下端部に設けられた右側接地台部と、前記座部の後端部から上方に延びる背もたれ部と、前記座部の両側上方に配設された肘掛け部と、を備え、
前記左側及び右側接地台部は、水平方向に延びる後部と、前記後部の前側に位置し前方に向けて上方へ多段に傾斜して延びる前部と、を有し、前記左側及び右側接地台部の前記前部の長さ（Ｌ）が３０〜７０ｃｍであり、
前記左側及び右側接地台部の前記前部は、前方に向けて第１傾斜角度で直線状に傾斜して延びる第１傾斜前部と、前記第１傾斜前部の先端部から前方に向けて上方に第２傾斜角度で直線状に傾斜して延びる第２傾斜前部とを有し、
通常使用状態においては、前記左側及び右側接地台部の前記後部が床面に接地し、立上り使用状態においては、前記左側及び右側接地台部の前記第２傾斜前部が床面に接地され、
床面に対する前記左側及び右側接地台部の前記第２傾斜前部の前記第２傾斜角度（α２）が１０〜１８度であることを特徴とする椅子。
【発明の詳細な説明】
【技術分野】
【０００１】
本発明は、着座した状態から立ち上がる際に立上り動作が容易となる椅子に関する。
【背景技術】
【０００２】
脳からの指令が筋肉に伝わり難い病気としてパーキンソン病がある。このパーキンソン病は、脳内のドーパミンの不足により運動に障害が現れる神経変性疾患であり、このパーキンソン病の有効な治療方法の一つとして薬物療法がある。薬物療法においては、薬を服用してドーパミンの不足を補ったり、ドーパミンの生成を促したりするものであり、適正な薬を服用することによって、日常生活に支障のないようにするとともに、パーキンソン病の進行を抑えている。
【０００３】
このパーキンソン病の特徴である「無動・寡動」という症状により、立上り動作（起立動作）、着座動作をうまく行うことができない。このようなことから、立上り動作が容易となる椅子として、接地台部に後下がりの傾斜を設けたものが知られている（例えば、特許文献１参照）。この椅子では、座部の片側から下方に延びる一対の脚部の下端部間に第１接地台部が設けられ、この座部の他側から下方に延びる一対の脚部の下端部間に第２接地台部が設けられ、第１及び第２接地台部の前端部に後下がりの傾斜面が設けられている。また、座部の両側に手摺りが設けられ、これら手摺りにより、座部が前下がりになったときの前への倒れ込みを防止している。
【０００４】
この椅子においては、立ち上がりに際し、着座状態において少し前かがみになって前側に重心移動させると、後下がりの傾斜面により、座部を含む椅子全体が前側に傾動し、これによって、座部に着座した使用者の臀部が幾分上方に持ち上げられて楽に立ち上がることができ、身障者、高齢者などであっても椅子から容易に立ち上がることができる。
【先行技術文献】
【特許文献】
【０００５】
【特許文献１】特開２００３−３８１号公報
【発明の概要】
【発明が解決しようとする課題】
【０００６】
しかしながら、このような椅子では、第１及び第２接地台部の傾斜面が短く、それ故に、椅子全体を前側に傾動させた状態、即ち傾斜面が接地した状態で安定的に保持することが難しくなる。例えばパーキンソン病患者などでは立上り動作が遅くなるときがあり、前傾した状態で不安定になるということは使用者に不安感を抱かせるようになり、従って、パーキンソン病患者などにとっては使い勝手が良いとはいうことができない。また、座部の両側に手摺りが設けられているが、これら手摺りは座部の前端部のみに設けられているために、立上り動作中に失敗したときなどにおいては、かかる手摺りを素速く掴むことができない。例えばパーキンソン病患者などにおいては、このようなことは使用に際しての不安感となり、使い勝手のよいものとはいえない。
【０００７】
このような椅子からの立ち上がりは、足腰の弱った高齢者などにも同様の問題があり、このような高齢者にも安心して使用することができる椅子の実現が望まれていた。
【０００８】
本発明の目的は、着座姿勢からの立ち上がりを容易にすることができる椅子を提供することである。
【０００９】
本発明の他の目的は、パーキンソン病患者などが安心して使用することができる椅子を提供することである。
【課題を解決するための手段】
【００１０】
本発明の請求項１に記載の椅子は、着座するための座部と、前記座部の左側から下方に延びる左側脚部と、前記座部の右側から下方に延びる右側脚部と、前記左側脚部の下端部に設けられた左側接地台部と、前記右側脚部の下端部に設けられた右側接地台部と、前記座部の後端部から上方に延びる背もたれ部と、前記座部の両側上方に配設された肘掛け部と、を備え、
前記左側及び右側接地台部は、水平方向に延びる後部と、前記後部の前側に位置し前方に向けて上方に直線状に傾斜して延びる前部と、を有し、前記左側及び右側接地台部の前記前部の長さ（Ｌ）が３０〜７０ｃｍであり、通常使用状態においては、前記左側及び右側接地台部の前記後部が床面に接地し、立上り使用状態においては、前記左側及び右側接地台部の前記前部が床面に接地され、床面に対する前記左側及び右側接地台部の前記前部の傾斜角度（α）が１０〜１８度であることを特徴とする。
【００１１】
また、本発明の請求項２に記載の椅子では、通常使用状態においては、前記座部に通常の姿勢で着座した使用者の体重心が前記左側及び右側接地台部の前記後部側に位置して前記後部が床面に接地し、この状態から立上り姿勢になると、前記左側及び右側接地台部の前記前部と前記後部との接続部を支点として前方に傾動し、この傾動に伴って、前記座部に立上り姿勢で着座した使用者の体重心が前記左側及び右側接地台部の前記前部側に移動して前記前部が床面に接地することを特徴とする。
【００１２】
また、本発明の請求項３に記載の椅子では、前記背もたれ部は、前記座部から上方に、前記座部に着座した使用者の腰よりも上方まで延びていることを特徴とする。
【００１３】
また、本発明の請求項４に記載の椅子では、前記座部に対する前記背もたれ部の傾斜角度（β）が９５〜１１０度であることを特徴とする。
【００１４】
また、本発明の請求項５に記載の椅子では、前記肘掛け部の前端は、前記座部の前端を基準にして−１０ｃｍ〜１０ｃｍの範囲に位置していることを特徴とする。
【００１５】
また、本発明の請求項６に記載の椅子は、着座するための座部と、前記座部の左側から下方に延びる左側脚部と、前記座部の右側から下方に延びる右側脚部と、前記左側脚部の下端部に設けられた左側接地台部と、前記右側脚部の下端部に設けられた右側接地台部と、前記座部の後端部から上方に延びる背もたれ部と、前記座部の両側上方に配設された肘掛け部と、を備え、前記左側及び右側接地台部は、水平方向に延びる後部と、前記後部の前側に位置し前方に向けて上方へ多段に傾斜して延びる前部と、を有し、前記左側及び右側接地台部の前記前部の長さ（Ｌ）が３０〜７０ｃｍであり、前記左側及び右側接地台部の前記前部は、前方に向けて第１傾斜角度で直線状に傾斜して延びる第１傾斜前部と、前記第１傾斜前部の先端部から前方に向けて上方に第２傾斜角度で直線状に傾斜して延びる第２傾斜前部とを有し、通常使用状態においては、前記左側及び右側接地台部の前記後部が床面に接地し、立上り使用状態においては、前記左側及び右側接地台部の前記第２傾斜前部が床面に接地され、床面に対する前記左側及び右側接地台部の前記第２傾斜前部の前記第２傾斜角度（α２）が１０〜１８度であることを特徴とする。
【発明の効果】
【００１７】
本発明の請求項１に記載の椅子によれば、椅子の前記左側及び右側接地台部は、水平方向に延びる後部と、後部の前側に位置し前方に向けて上方に直線状に傾斜して延びる前部と、を有するので、通常の姿勢で座部に着座した通常使用状態においては、水平に延びる左側及び右側接地台部の後部が床面に接地し、安定した状態で着座姿勢を保つことができ、また立ち上がる際（起立動作の際）に体の上半身を前側に倒すと、椅子が前側に傾動して左側及び右側接地台部の前部が床面に接地し、このような状態から両側の肘掛け部を後側に押し出すようにすると、その反動でもって容易に立ち上がることができ、例えばパーキンソン病患者であっても安心して立ち上がることができる。また、左側及び右側接地台部の前部の長さが３０〜７０ｃｍであるので、立上り使用状態における左側及び右側接地台部の前部と床面との接地長さが長く、立上り使用状態においても非常に安定した状態に保つことができ、例えばパーキンソン病患者であっても安定してこの状態を保つことができる。
また、床面に対する左側及び右側接地台部の前部の傾斜角度（α）が１０〜１８度であるので、立上り使用状態（即ち、左側及び右側接地台部の前部が床面に接地する状態）における椅子の前側への傾動角度が適切な状態となり、立ち上がり易く且つ使用者に不安感を抱かせない程度の状態に保つことができる。また、このような傾動状態において、使用者が肘掛け部から両手を離して体の上半身を元の状態に戻すと、椅子は後側に傾動して元の状態（即ち、左側及び右側接地台部の後部が床面に接地する状態）となり、例えばパーキンソン病患者であっても非常に安心して使用することができる。
【００１８】
また、本発明の請求項２に記載の椅子によれば、通常使用状態においては、座部に通常の姿勢で着座した使用者の体重心が左側及び右側接地台部の後部側に位置するので、この体重心を利用してこれらの後部を床面に接地させた状態に安定的に保つことができる。また、この状態から立上り姿勢になると、左側及び右側接地台部の接続部を支点として前方に傾動し、この傾動に伴って、座部に立上り姿勢で着座した使用者の体重心が左側及び右側接地台部の前部側に移動するので、使用者の体重心を利用してこれらの前部を床面に接地させた状態に安定的に保つことができる。
【００２０】
また、本発明の請求項３に記載の椅子によれば、背もたれ部は座部から上方に、座部に着座した使用者の腰よりも上方まで延びているので、座部に着座した状態において体を安定して支えることができ、立上り使用状態から後側に姿勢を戻して通常使用状態にしたときにも安定して体を支えることができる。また、着座した状態で上半身を後側に倒すと背もたれ部に当たるようになり、例えばパーキンソン病患者であっても安心して着座姿勢を取ることができる。
【００２１】
また、本発明の請求項４に記載の椅子によれば、座部に対する背もたれ部の傾斜角度（β）が９５〜１１０度であるので、座部に着座した状態において体を非常に安定して支えることができ、例えばパーキンソン病患者であっても安心して使用することができる。
【００２２】
また、本発明の請求項５に記載の椅子によれば、肘掛け部の前端は、座部の前端を基準にして−１０ｃｍ〜１０ｃｍの範囲に位置しているので、立上り使用状態（椅子が前側に傾動した状態）においてこの肘掛け部の前端部を後方に容易に押し出すことができ、例えばパーキンソン病患者であっても、肘掛け部を後方に押し出すという動作を加えることによって椅子に着座した状態から容易に立ち上がることができる。また、このような肘掛け部を設けることによって、座るときにも安心して着座することができ、更に立ち上がりに失敗したときにも肘掛け部を持つことによって安心して着座姿勢に戻ることができる。
【００２３】
また、本発明の請求項６に記載の椅子によれば、左側及び右側接地台部の前部は、前方に向けて多段に傾斜して延びているので、立ち上がりの際の椅子の前側への傾動が段階的なものとなり、前側への傾動を安心して行うことができる。
【図面の簡単な説明】
【００２５】
【図１】本発明に従う椅子の第１の実施形態を示す側面図。
【図２】図１の椅子の正面図。
【図３】図１の椅子の一部を拡大して通常使用状態の状態で示す部分拡大図。
【図４】図１の椅子の一部を拡大して立上り使用状態の状態で示す部分拡大図。
【図５】本発明に従う椅子の第２の実施形態の一部を示す側面図。
【図６】本発明に従う椅子の第３の実施形態の一部を示す側面図。
【図７】本発明に従う椅子の第４の実施形態の一部を示す側面図。
【図８】本発明に従う椅子の第５の実施形態の一部を示す側面図。
【発明を実施するための形態】
【００２６】
以下、添付図面を参照して、本発明に従う椅子の各種実施形態について説明する。
【００２７】
〔第１の実施形態〕
まず、図１〜図４を参照して、第１の実施形態の椅子について説明する。図１及び図２において、図示の椅子は、床面２に接地して使用される椅子本体４を備え、この椅子本体４は、使用者が着座する座部６と、この座部６の後端部から上方に傾斜して延びる背もたれ部８と、座部６の両側上方に配設された一対の肘掛け部１０，１２（左肘掛け部１０及び右肘掛け部１２）とを備えている。この形態では、座部６は矩形状であり、この座部６の前端部両側に一対の支持脚部１４，１６（左支持脚部１４及び右支持脚部１６）が設けられ、またこの座部６の後端部両側に一対の支持壁部１８，２０（左支持壁部１８及び右支持壁部２０）が設けられている。
【００２８】
また、左支持脚部１４及び左支持壁部１８間には、一方の側壁部２２（左側壁部２２）が設けられ、更に右支持壁部１６及び右支持壁部２０間には、左側の左側壁部２２と同様に、他方の側壁部（右側壁部）（図示せず）が設けられ、これら左右側壁部２２は、座部６の両側をこの座部６より幾分上方に突出している。このように構成されているので、座部６の片側（左側）は、左支持脚部１４、左側壁部２２及び左支持壁部１８によって規定され、また座部６の他側（右側）は、右支持脚部１６、右側壁部及び右支持壁部２０によって規定されている。
【００２９】
この実施形態では、左右支持脚部１４，１６は、座部６から上下方向に延び、左右支持脚部１４，１６の座部６の前側部から下方に延びる部位１４ａ、１６ａが脚部として機能し、その前側部から上方に延びる部位１４ｂ，１６ｂが支持部として機能する。左右肘掛け部１０，１２は、左右支持脚部１４，１６の上端部と左右支持壁部１８，２０との間に設けられ、この形態では、左右肘掛け部１０，１２は、左右支持壁部１８，２０から実質上水平に直線状に前方に延びている。左右肘掛け部１０，１２の高さ（Ｈ）（図１参照）は、１５〜２５ｃｍであるのが好ましく、このような高さ（Ｈ）で座部６の先端部から背もたれ部８の近くまで設けるのが好ましい。尚、左右肘掛け部１０，１２は、前方（図１において左側、図２において紙面垂直な方向表側）に向けて幾分上方に傾斜するようにしてもよい。
【００３０】
この形態では、左右支持壁部１８，２０の下端部には左右脚部２４（図１において、左脚部２４のみ示す）が設けられ、これら左右脚部２４が、左右支持壁部１８，２０の下端部から下方に延びている。椅子本体４の片側（左側）においては、左支持脚部１４の部位１４ａ及び左脚部２４が、一対の第１脚部として機能し、かかる一対の第１脚部の下端部に第１接地台部２６が設けられ、また椅子本体４の他側（右側）においては、右支持脚部１６の部位１６ａ及び右脚部（図示せず）が、一対の第２脚部として機能し、かかる一対の第２脚部の下端部に第２接地台部２８が設けられている。
【００３１】
第１及び第２接地台部２６，２８は、実質上同一の構成であり、以下、その一方、即ち第１接地台部２６について説明する。第１接地台部２６（第２接地台部２８）は、椅子本体４の後側に位置する後部３０と、その前側に位置する前部３２とを有し、後部３０と前部３２とが接続部３４にて接続され、かかる接続部３４が後述する如く椅子本体４が傾動する際の支点として機能する。この形態では、左支持脚部１４の部位１４ａが第１接地台部２６の前部３２の中間部に接続され、左脚部２４が第１接地台部２６の後部３０の後端部に接続されている。また、右支持脚部１６の部位１６ａが第２接地台部２８の前部３２の中間部に接続され、右脚部（図示せず）が第２接地台部２８の後部３０の後端部に接続されている。
【００３２】
第１接地台部２６（第２接地台部２８）の後部３０は水平方向に延び、この後部３０が床面２に接地した状態では、図１〜図３に示すように、座部６が水平状態に保たれ、通常使用状態においては、この後部３０が床面２に接地される。また、第１接地台部２６（第２接地台部２８）の前部３２は、接続部３４から前方に向けて上方に直線状に傾斜して延び、この前部３２が床面２に接地した状態では、図４に示すように、座部６が前方に向けて下方に傾斜した状態に保たれ、立上り使用状態においては、後述するように、この前部３２が床面に接地される。
【００３３】
この椅子本体４では、補強のために各種補強部材３６，３８，４０，４２が設けられている。補強部材３６は左右支持壁部１８，２０の下部間に設けられ、補強部材３８は左右支持壁部１８，２０の上端部間に設けられ、また補強部材４０は左右側壁部２２の下部間に設けられ、更に補強部材４２は第１及び第２接地台部２６，２８の後部３０間に接続されている。
【００３４】
この椅子本体４においては、各種構成要素を次のように構成するのが好ましい。第１及び第２接地台部２６，２８については、前部３２の長さ（Ｌ）（図３参照）が３０〜７０ｃｍであるのが好ましく、３５〜５０ｃｍであるのが更に好ましい。前部３２の長さ（Ｌ）が３０ｃｍより短くなると、前部３２と床面２との接触長さが短くなり、立上り使用状態での保持が不安定となり、特にパーキンソン病患者が使用する場合においては不安感を抱くようになり、また前部３２の長さ（Ｌ）が７０ｃｍより長くなると、前部３２が座部６より前方に大きく突出するようになり、取り扱い性、デザイン性などが悪くなる。
【００３５】
また、この前部３２の床面２に対する傾斜角度（α）（図４参照）は、１０〜１８度であるのが好ましく、１２〜１６度であるのが更に好ましい。この傾斜角度（α）が１０度より小さくなると、立上り使用状態における椅子本体４の前方への傾斜角度（換言すると、座部６の下方への傾斜角度）が小さくなり、この椅子を用いた立上り容易性の効果があまり期待できず、またこの傾斜角度（α）が１８度より大きくなると、立上り使用状態における椅子本体４の前方への傾斜角度が大きくなり、立上り使用状態において使用者が前に大きく傾くようになり、この立上り使用状態における使用者の姿勢が不安定になり、また大きく前に傾くために肘掛け部１０，１２から手を離したときに元に戻り難くなり、特にパーキンソン病患者が使用する場合においては不安感を抱かせるようになる。
【００３６】
第１及び第２接地台部２６，２８の接続部３４（揺動支点）と座部６に着座した使用者の体重心Ｐ（図３及び図４参照）との関係は、図３及び図４に示すように構成するのが望ましい。即ち、通常使用状態（第１及び第２接地台部２６，２８の後部３０が接地する状態）においては、座部６に通常の姿勢で着座した使用者Ｑの体重心Ｐが第１及び第２接地台部２６，２８の後部３０側に位置する（即ち、接続部３４より後側）に位置するように構成するのが好ましく、このように構成することによって、使用者Ｑの体重心Ｐを利用して椅子本体４をこの通常使用状態に保持することができる。また、立上り使用状態（第１及び第２接地台部２６，２８の前部３２が接地する状態）においては、図４に示すように、座部６に立上り姿勢で着座した使用者Ｑの体重心Ｐが第１及び第２接地台部２６，２８の前部３２側に位置する（即ち、接続部３４より前側）に位置するように構成するのが好ましく、このように構成することによって、使用者Ｑの体重心Ｐを利用して椅子本体４をこの立上り使用状態に保持することができる。
【００３７】
また、背もたれ部８に関しては、次のように構成するのが好ましい。この背もたれ部８の座部６に対する傾斜角度（β）（図１参照）は、９５〜１１０度であるのが好ましい。この傾斜角度（β）が９５度より小さいと、座部６に着座した着座姿勢が真っ直ぐに近い姿勢となり、ゆったりとくつろいで着座することが難しくなり、またこの傾斜角度（β）が１１０度より大きくなると、この着座姿勢が後側に大きく傾いた姿勢となり、安定的な姿勢を保つことが難しくなる。
【００３８】
また、この背もたれ部８は、着座した使用者Ｑの背中まで伸び、使用者Ｑの腰から背中までにわたって支持するように構成されているが、使用者Ｑの腰又は腰より上方まで支持するように構成することによって所望の効果が得られる。即ち、このように構成することによって、座部６に着座した使用者Ｑが後方にもたれても体を安定して支持することができ、例えばパーキンソン病患者であっても安心して着座姿勢を取ることができる。
【００３９】
更に、左右肘掛け部１０，１２に関連して、左右肘掛け部１０，１２の前端は、座部６の前端を基準にして−１０〜１０ｃｍの範囲（換言すると、座部６の前端から１０ｃｍ後側に引っ込む位置から座部６の前端から１０ｃｍ前側に突出する位置までの範囲）に位置するように構成するのが好ましい。左右肘掛け部１０，１２の前端が座部６の前端から１０ｃｍを越えて後側に引っ込むと、立上りの際に左右肘掛け部１０，１２の前端を後方に押し出してその反動を利用することが難しくなるとともに、着座するときにも左右肘掛け部１０，１２を見つけ難くなり、例えばパーキンソン病患者では着座する際の不安感の一つとなり、また左右肘掛け部１０，１２の前端が座部６の前端から１０ｃｍを越えて前側に突出すると、立上りの際に左右肘掛け部１０，１２の前端を掴むことが難しく、これら前端を利用して立ち上がることが難しくなる。
【００４０】
このような椅子を用いた立上り動作（起立動作）は、次のように行われる。主として図３及び図４を参照して、椅子本体４の座部６に着座するときには、例えば、前を向いた状態でもって第１及び第２接地台部２６，２８間に位置し（このとき、椅子本体４は自重によって通常使用状態に保持されている）、そして、左右肘掛け部１０，１２を左右の手でもって体を支え、このような状態で腰を座部６に載せるようにゆっくり下げればよく、例えばパーキンソン病患者、足腰の弱い高齢者などであっても安心して座部６に着座することができる。
【００４１】
このような着座状態から立ち上がるには、例えば、両足を床面２に接地させた後に左右肘掛け部１０，１２の先端部を左右の手で掴み、上半身を前に傾けて立ち上がる姿勢を取る。そして、この状態にて左右肘掛け部１０，１２を後方に押し出すようにして立ち上がればよい。着座した通常使用状態（図３に示す状態）において、両足を床面２に接地させた状態にて左右肘掛け部１０，１２を掴んで上半身を前に傾けると、図４に示すように、体重移動によって、椅子本体４が第１及び第２接地台部２６，２８の接続部３４を支点として前側に傾動し、この傾動に伴って、使用者Ｑの体重心Ｐが第１及び第２接地台部２６，２８の接続部３４より前側に（即ち、前部３２側）に移動し、この体重心Ｐによって、椅子本体４は、第１及び第２接地台部２６，２８の前部３２が床面２に接地する立上り使用状態に保持される。
【００４２】
そして、このような立上り使用状態にて左右肘掛け部１０，１２を後方に押し出すようにすると、その反動でもって体が前側に押し出され、左右肘掛け部１０，１２を押す反動を利用して容易に立ち上がることができる。このように椅子本体４を前傾させて立上り使用状態に保持して使用者Ｑの体重を前側に移動させ、その後左右肘掛け部１０，１２を後方に押し出す反動を利用して立ち上がるので、例えばパーキンソン病患者、足腰の弱い高齢者であっても容易に且つ安心して立ち上がることができる。
【００４３】
〔第２の実施形態〕
次に、図５を参照して、第２の実施形態の椅子について説明する。この第２の実施形態においては、左右支持壁部並びに第１及び第２接地台部に修正が施されている。尚、以下の実施形態において、第１の実施形態と実質上同一の部材には同一の参照番号を付し、その説明を省略する。
【００４４】
図５において、この第２の実施形態では、椅子本体４Ａが通常使用状態に確実に戻るように、椅子本体４Ａの後底部に錘部材５２が設けられている。この形態では、左支持壁部１８Ａの下端部が第１接地台部２６の後部３０の後端部まで延びて接続され、左支持壁部１８Ａの下部が第１脚部として機能する。また、図示していないが、椅子本体４Ａの左側の構成と同様に、右支持壁部の下端部が第２接地台部の後部の後端部まで延びて接続され、右支持壁部の下部が第２脚部として機能する。錘部材５２は、左支持壁部１８Ａ及び右支持壁部（図示せず）の底部間に取り付けられ、第１及び第２接地台部２６の接続部３４を支点として図５において時計方向の力を付与し、椅子本体４Ａを通常使用状態（第１及び第２接地台部２６の後部３０が床面２に接地する状態）に保持する。尚、この錘部材５２としては、例えば金属製の棒状又はパイプ状部材を用いることができる。
【００４５】
また、第１及び第２接地台部２６の後部３０の後端部に緩衝部材５４が設けられている。この緩衝部材５４は、合成ゴムなどから形成することができ、床面２に当接したときに幾分弾性変形して衝撃を吸収する。このような緩衝部材５４を設けることによって、椅子本体４Ａが通常使用状態に戻って第１及び第２接地台部２６の後部３０が床面２に当接する際の衝撃を緩衝する。第２の実施形態の椅子のその他の構成は、上述した第１の実施形態と実質上同一でよい。
【００４６】
この第２の実施形態の椅子も、その基本的形態の構成が第１の実施形態と実質上同一であるので、上述したと同様の作用効果を達成することができる。
【００４７】
〔第３の実施形態〕
次に、図６を参照して、第３の実施形態の椅子について説明する。この第３の実施形態においては、第１及び第２接地台部に修正が施されている。
【００４８】
図６において、この形態の椅子では、椅子本体４Ｂの第１及び第２接地台部２６Ｂ（図６において第１接地台部２６Ｂのみを示す）の前部３２に角度調整部材６２が取り付けられている。例えば、第１及び第２接地台部２６Ｂの前部３２の所定部位に、例えばねじ穴（又は圧入用凹部など）（図示せず）を設け、一方角度調整部材６２にねじ軸（又は圧入用軸部など）（図示せず）を設け、角度調整部材６２のねじ軸（又は圧入用軸部）を第１及び第２接地台部２６Ｂのねじ穴（又は圧入用凹部）に螺着（又は圧入）することによって、角度調整部材６２を第１及び第２接地台部２６Ｂに取り付けることができる。このような角度調整部材６２は、合成樹脂、硬質合成ゴム、木などから形成することができる。
【００４９】
この角度調整部材６２は、長さの異なる複数種類のものから適切なものを選択して立上り使用状態における椅子本体４Ｂの前傾角度を使用者に合った角度に設定することができる。即ち、長さの長い（又は短い）角度調整部材６２を取り付けた場合、この角度調整部材６２が床面２に当接することによって、第１及び第２接地台部２６Ｂの前部３２と床面２との間に比較的大きな（又は比較的小さな）隙間が生じ、これによって、第１及び第２接地台部２６Ｂの前部３２の床面２に対する傾斜角度が小さくなる（又は大きくなる）ように調整され、立上り使用状態（即ち、第１及び第２接地台部２６Ｂの前部３２が床面２に接地した状態）における椅子本体４Ｂの前傾角度を小さく（又は大きく）保つことができる。この実施形態のその他の構成は、上述した第２の実施形態と実質上同一でよい。
【００５０】
〔第４の実施形態〕
次に、図７を参照して、第４の実施形態の椅子について説明する。この第４の実施形態では、椅子本体の第１及び第２接地台部に修正が施されている。
【００５１】
図７において、この形態の椅子では、第１及び第２接地台部２６Ｃ（図７において第１接地台部２６Ｃのみ示す）の前部３２Ｃが前方に向けて２段に傾斜している。即ち、前部３２Ｃは、第１及び第２接地台部２６Ｃの接続部３４から前方（図７において左方）に向けて上方に第１傾斜角度（α１）で直線状に傾斜して延びる第１傾斜前部７２と、この第１傾斜前部７２の先端部から前方に向けて上方に第２傾斜角度（α２）で直線状に傾斜して延びる第２傾斜前部７４とから構成されている。この場合、第１傾斜角度（α１）は、例えば３〜９度に設定することができ、また第２傾斜角度（α２）は、立上り使用状態における椅子本体４Ｃの前傾角度を考慮して例えば１０〜１８度に設定することができる。また、第２傾斜前部７４の長さ（Ｌ２）は、立上り使用状態における安定性を確保するために、第１傾斜前部７２の長さ（Ｌ１）よりも長くするのが好ましい。この第４の実施形態のその他の構成は、上述した第１の実施形態と実質上同一でよい。
【００５２】
この形態の椅子においては、第１及び第２接地台部３２Ｃが２段に構成されているので、立上り使用状態に移行する際に、第１傾斜前部７２が床面２に接地した後に第２傾斜前部７４が床面２に接地して立上り使用状態に保たれ、従って、その移行が２段階となって安定して行うことができる。
【００５３】
この第４の実施形態では、第１及び第２接地台部２６Ｃの前部３２Ｃが前方に向けて２段に傾斜しているが、このような構成に限定されず、かかる前部３２Ｃを前方に向けて３段以上の多段に傾斜させるようにしてもよい。
【００５４】
〔第５の実施形態〕
次に、図８を参照して、第５の実施形態の椅子について説明する。この第５の実施形態では、椅子本体の第１及び第２接地台部に修正が施されている。
【００５５】
図８において、この形態の椅子では、第１及び第２接地台部２６Ｄ（図８において第１接地台部のみ示す）の前部３２Ｄが前方に向けて円弧状に延びている。即ち、前部３２Ｄは、第１及び第２接地台部２６Ｄの接続部３４から前方（図８において左方）に向けて円弧状に上方に延びており、この場合においても、この前部３２Ｄの長さ（Ｌ３）は、３０〜７０ｃｍに設定するのが望ましい。この第５の実施形態のその他の構成は、上述した第１の実施形態と実質上同一でよい。
【００５６】
この第５の実施形態では、第１及び第２接地台部２６Ｄの前部３２Ｄが前方に向けて円弧状に延びているので、着座した状態で前側に体重移動させると、椅子本体４Ｄが前側に傾動して使用者の体重心とのバランスでもって立上り使用状態に保持され、このように構成しても上述したと同様の作用効果を奏することができる。
【００５７】
以上、本発明に従う椅子の各種実施形態について説明したが、本発明はかかる実施形態に限定されるものではなく、本発明の範囲を逸脱することなく種々の変更乃至修正が「可能である。
【００５８】
例えば、上述した実施形態では、一対の第１及び第２脚部を設けているが、このような構成に限定されず、第１及び第２脚部をプレート状又は柱状の一つのものから構成してもよく、或いは３つ以上のものから構成するようにしてもよい。
【符号の説明】
【００５９】
２  床面
４，４Ａ，４Ｂ，４Ｃ，４Ｄ  椅子本体
６  座部
８  背もたれ部
１０，１２  肘掛け部
１４，１６  支持脚部
１８，１８Ａ，２０  支持壁部
２６，２６Ｂ，２６Ｃ，２６Ｄ  第１接地台部
２８  第２接地台部
３０  後部
３２，３２Ｃ，３２Ｄ  前部
３４  接続部
Ｐ  体重心
Ｑ  使用者
【図１】
0006030310.tif 000002
【図２】
0006030310.tif 000003
【図３】
0006030310.tif 000004
【図４】
0006030310.tif 000005
【図５】
0006030310.tif 000006
【図６】
0006030310.tif 000007
【図７】
0006030310.tif 000008
【図８】
0006030310.tif 000009